(57)【要約】【課題】  ブラシ部材を容易に搬送して道路用支柱に被着させることができるようにするとともに、被着後はブラシ部材が道路用支柱の外周面を自動的に擦ることができるようにして、道路用支柱の清掃作業の作業性を向上させる。【解決手段】  道路の支柱の外周面を清掃する道路用支柱の清掃装置Ｓにおいて、支柱に挿通され軸線２を中心に回転させられる内筒１と、内筒１の内壁面１ａに取り付けられ内筒１の回転により支柱の外周面を擦るブラシ部材１０と、内筒１を囲繞するとともに内筒１を回転可能に支持する外筒２０と、外筒２０に設けられ内筒１を回転させる駆動部３０と、外筒２０を移動させる移動機構とを備えた。【選択図】図１
2010255184.tif 000002
【特許請求の範囲】
【請求項１】
道路の支柱の外周面を清掃する道路用支柱の清掃装置において、
上記支柱に挿通され軸線を中心に回転させられる内筒と、該内筒の内壁面に取り付けられ該内筒の回転により該支柱の外周面を擦るブラシ部材と、上記内筒を囲繞するとともに該内筒を回転可能に支持する外筒と、該外筒に設けられ上記内筒を回転させる駆動部と、上記外筒を移動させる移動機構とを備えたことを特徴とする道路用支柱の清掃装置。
【請求項２】
上記内筒の下端側若しくは上記外筒の下端側に、下側に向かって漸次拡径し上記支柱を上記内筒内に導くラッパ状のガイド部材を設けたことを特徴とする請求項１記載の道路用支柱の清掃装置。
【請求項３】
上記ブラシ部材を、上記内筒の回転方向に沿う所定幅であって該内筒の回転軸線方向に沿う所定長さに多数の毛を集合させ、該毛の集合をホルダで保持して形成し、該ブラシ部材を上記内筒の回転軸線を中心とする螺旋に沿って間隔を隔てて複数配置したことを特徴とする請求項１または２記載の道路用支柱の清掃装置。
【請求項４】
上記内筒に、上記複数のブラシ部材に対応する複数の貫通孔を形成し、上記ブラシ部材のホルダを、多数の毛が植設される保持部と、該保持部に連設され上記貫通孔に嵌合されて固定される固定部とを備えて構成したことを特徴とする請求項３記載の道路用支柱の清掃装置。
【請求項５】
上記外筒の下端側に上記内筒の外壁面を転動するベアリングを設けたことを特徴とする請求項１乃至４何れかに記載の道路用支柱の清掃装置。
【請求項６】
上記駆動部を、上記外筒の上端に固定部材を介して固定され内筒の軸線と同軸の回転軸を有するモータを備えて構成し、該モータの回転軸の先端に取付部材を介して上記内筒を吊下したことを特徴とする請求項１乃至５何れかに記載の道路用支柱の清掃装置。
【請求項７】
上記移動機構を、上記モータを吊下支持する棒状の第一支持部材と、一端に上記第一支持部材を上下動可能に支持し上記第一支持部材の長手方向に直交する方向に長手方向を有する棒状の第二支持部材と、該第二支持部材の他端側を該第二支持部材の長手方向に沿って進退動可能に支持する第三支持部材と、該第三支持部材を上記第一支持部材の長手方向と平行な軸線を中心に旋回可能に支持する基台と、上記第一支持部材を上下動させる上下動駆動部と、上記第二支持部材を進退動させる進退動駆動部と、上記第三支持部材を旋回させる旋回駆動部とを備えて構成したことを特徴とする請求項１乃至６何れかに記載の道路用支柱の清掃装置。
【発明の詳細な説明】
【技術分野】
【０００１】
本発明は、道路の支柱の外周面を清掃する道路用支柱の清掃装置に関する。
【背景技術】
【０００２】
従来、この種の道路用支柱の清掃装置としては、例えば、特許文献１（特開平９−１２５３２３号公報）に掲載されたものが知られている。図１３に示すように、この道路用支柱の清掃装置Ｓａは、両端を開放された略筒状の本体部材１００と、道路用支柱Ｐａの長手方向に移動可能に本体部材１００に設けられる操作部材１１０と、一端が操作部材１１０に固定され他端が本体部材１００の下端側に固定されるとともに道路用支柱Ｐａと本体部材１００とによって形成される空間に配置された伸縮可能な略コイル状のブラシ部材１２０とを備えて構成されている。
【０００３】
この清掃装置Ｓａを用いて道路用支柱Ｐａを清掃するときは、先ず、操作部材１１０を押し込んだ状態で、作業者が手で本体部材１００を道路用支柱Ｐａに挿通させる。本体部材１００を挿通させると、ブラシ部材１２０のブラシの先端が道路用支柱Ｐａの外周面に接触する。次に、操作部材１１０を作業者の手によって昇降させる。操作部材１１０を上昇させると、ブラシ部材１２０が道路用支柱Ｐａの外周面を回りながら操作部材１１０とともに伸び、操作部材１１０を下降させると、ブラシ部材１２０が道路用支柱Ｐａの外周面を回りながら操作部材１１０とともに縮むようになる。これにより、ブラシ部材１２０が道路用支柱Ｐａの外周面を擦るようになるので、道路用支柱Ｐａの外周面に付着した汚れを除去することができ、道路用支柱Ｐａを清掃することができる。
【先行技術文献】
【特許文献】
【０００４】
【特許文献１】特開平９−１２５３２３号公報
【発明の概要】
【発明が解決しようとする課題】
【０００５】
しかしながら、この従来の道路用支柱の清掃装置Ｓａにおいては、作業者が逐一道路用支柱Ｐａに本体部材１００を搬送して道路用支柱Ｐａに挿通し、更に、作業者が手で操作部材１１０を昇降させることによりブラシ部材１２０を昇降させているので、道路用支柱Ｐａの外周面を清掃する作業が煩雑であるという問題があった。
【０００６】
本発明は、このような問題点に鑑みてなされたもので、ブラシ部材を容易に搬送して道路用支柱に被着させることができるようにするとともに、被着後はブラシ部材が道路用支柱の外周面を自動的に擦ることができるようにして、道路用支柱の清掃作業の作業性を向上させる道路用支柱の清掃装置を提供することを目的とする。
【課題を解決するための手段】
【０００７】
このような目的を達成するため、本発明の道路用支柱の清掃装置は、道路の支柱の外周面を清掃する道路用支柱の清掃装置において、上記支柱に挿通され軸線を中心に回転させられる内筒と、該内筒の内壁面に取り付けられ該内筒の回転により該支柱の外周面を擦るブラシ部材と、上記内筒を囲繞するとともに該内筒を回転可能に支持する外筒と、該外筒に設けられ上記内筒を回転させる駆動部と、上記外筒を移動させる移動機構とを備えた構成としている。
【０００８】
これにより、道路用支柱を清掃するときは、先ず、移動機構により外筒を道路用支柱の上方に移動させる。外筒を移動させると、内筒及び駆動部も移動させられる。そして、移動機構により、外筒を下方に移動させて道路用支柱に内筒を挿通させ、ブラシ部材を道路用支柱の外周面に接触するように被着させる。次に、駆動部を駆動し、内筒をその軸線を中心に回転させる。内筒を回転させると、内筒の内壁面に取り付けられているブラシ部材も内筒と同方向に回転するようになる。ブラシ部材は道路用支柱の外周面に接触しているので、ブラシ部材が回転すると、ブラシ部材によって道路用支柱の外周面が擦られるようになり、これによって、道路用支柱の外周面に付着しているゴミ等の汚れを掻き落として除去することができ、道路用支柱を清掃することができる。
【０００９】
即ち、移動機構により外筒を移動させ、駆動部により内筒を回転させるので、ブラシ部材を容易に搬送して道路用支柱に被着させることができるとともに、内筒の回転によって道路用支柱の外周面を擦ってゴミ等の汚れを掻き落として除去できることから、従来と比較して道路用支柱の清掃作業の作業性を向上させることができる。また、内筒を囲繞して外筒が設けられているので、この外筒によって回転している内筒には触れることができなくなり、そのため、内筒の回転によって作業者が怪我をする等という事故を防止することができる。
【００１０】
そして、必要に応じ、上記内筒の下端側若しくは上記外筒の下端側に、下側に向かって漸次拡径し上記支柱を上記内筒内に導くラッパ状のガイド部材を設けた構成としている。これにより、ブラシ部材を道路用支柱に被着させる際、内筒が道路用支柱に対して多少ずれた位置に位置しても、道路用支柱の上部がガイド部材に当たって内筒内に導かれるので、確実に道路用支柱に内筒を挿通させてブラシ部材を道路用支柱に被着させることができる。即ち、道路用支柱に内筒を挿通させやすくなるので、それだけ、ブラシ部材を道路用支柱に被着させやすくなる。
【００１１】
また、必要に応じ、上記ブラシ部材を、上記内筒の回転方向に沿う所定幅であって該内筒の回転軸線方向に沿う所定長さに多数の毛を集合させ、該毛の集合をホルダで保持して形成し、該ブラシ部材を上記内筒の回転軸線を中心とする螺旋に沿って間隔を隔てて複数配置した構成としている。これにより、ブラシ部材に間隔が生じるので、多数の毛を密に内筒に植設したものに比較して、ブラシ部材間にゴミ等が詰まりにくくなり、そのため、ゴミ等の汚れの掻き落とし機能が向上させられ、清掃効率の向上が図られる。また、毛の集合をホルダで保持しているので、多数の毛を内筒に直接植設した場合に比較して、比較的容易にブラシ部材を内筒に取り付けることができる。
【００１２】
更に、必要に応じ、上記内筒に、上記複数のブラシ部材に対応する複数の貫通孔を形成し、上記ブラシ部材のホルダを、多数の毛が植設される保持部と、該保持部に連設され上記貫通孔に嵌合されて固定される固定部とを備えて構成している。これにより、固定部を貫通孔に嵌合させるだけでホルダを内筒に取り付けることができるので、より一層容易にブラシ部材を内筒に取り付けることができる。
【００１３】
更にまた、必要に応じ、上記外筒の下端側に上記内筒の外壁面を転動するベアリングを設けた構成としている。これにより、ベアリングが内筒の外壁面に当接して支持するようになるので、内筒の軸線がブレることを防止することができる。また、内筒が回転するとベアリングが内筒の外壁面を転動するようになるので、内筒とベアリングとの摩擦力が軽減され、そのため、内筒の回転を円滑に行なうことができる。
【００１４】
そして、また、必要に応じ、上記駆動部を、上記外筒の上端に固定部材を介して固定され内筒の軸線と同軸の回転軸を有するモータを備えて構成し、該モータの回転軸の先端に取付部材を介して上記内筒を吊下した構成としている。これにより、モータを駆動させると、回転軸が回転させられ、この回転軸の回転によって取付部材が回転させられる。取付部材が回転すると、内筒が軸線を中心に回転させられ、これによって、道路用支柱を清掃することができる。即ち、駆動部によって、内筒を自動的に回転させることができるので、従来と比較して道路用支柱の清掃作業の作業性を向上させることができる。
【００１５】
更に、必要に応じ、上記移動機構を、上記モータを吊下支持する棒状の第一支持部材と、一端に上記第一支持部材を上下動可能に支持し上記第一支持部材の長手方向に直交する方向に長手方向を有する棒状の第二支持部材と、該第二支持部材の他端側を該第二支持部材の長手方向に沿って進退動可能に支持する第三支持部材と、該第三支持部材を上記第一支持部材の長手方向と平行な軸線を中心に旋回可能に支持する基台と、上記第一支持部材を上下動させる上下動駆動部と、上記第二支持部材を進退動させる進退動駆動部と、上記第三支持部材を旋回させる旋回駆動部とを備えて構成している。これにより、外筒を移動させて、道路用支柱にブラシ部材を被着させるときは、先ず、進退動駆動部により第二支持部材を進出させる。第二支持部材を進出させると、第一支持部材が進出させられ、モータ及び外筒が進出させられる。次に、旋回駆動部により第三支持部材を旋回させる。第三支持部材を旋回させると、第二支持部材も第三支持部材と同方向に旋回させられ、第一支持部材が基台を中心に回転するようになる。この進退動駆動部及び旋回駆動部により、外筒の下端を道路用支柱の上方に位置させる。このとき、内筒の軸線と道路用支柱の軸線とが同軸になるように外筒を位置させる。それから、上下動駆動部により第一支持部材を下方に移動させる。第一支持部材を下方に移動させると、モータ及び外筒が下方に移動させられる。この外筒の移動によって内筒も移動させられ、内筒を道路用支柱に挿通させることができるので、ブラシ部材を道路用支柱に被着させることができる。即ち、移動機構によって、ブラシ部材を容易に搬送して道路用支柱に被着させることができるので、従来と比較して道路用支柱の清掃作業の作業性を向上させることができる。
【発明の効果】
【００１６】
本発明の道路用支柱の清掃装置によれば、移動機構により内筒を道路用支柱に被着させ、駆動部を駆動させて内筒をその軸線を中心に回転させると、内筒の内壁面に取り付けられているブラシ部材も内筒と同方向に回転し、このブラシ部材の回転によって、道路用支柱の外周面が擦られるようになり、これによって、道路用支柱の外周面に付着しているゴミ等の汚れを掻き落として除去することができ、道路用支柱を清掃することができる。即ち、移動機構により外筒を移動させ、駆動部により内筒を回転させるので、ブラシ部材を容易に搬送して道路用支柱に被着させることができるとともに、内筒の回転によって道路用支柱の外周面を自動的に擦ってゴミ等の汚れを掻き落として除去できることから、従来と比較して道路用支柱の清掃作業の作業性を向上させることができる。また、内筒を囲繞して外筒が設けられているので、この外筒によって回転している内筒には触れることができなくなり、そのため、内筒の回転によって作業者が怪我をする等という事故を防止することができる。
【図面の簡単な説明】
【００１７】
【図１】本発明の実施の形態に係る道路用支柱の清掃装置を示す分解斜視図である。
【図２】本発明の実施の形態に係る道路用支柱の清掃装置を示す断面図である。
【図３】本発明の実施の形態に係る内筒を示す平面図である。
【図４】本発明の実施の形態に係る内筒を示す底面図である。
【図５】本発明の実施の形態に係る道路用支柱の清掃装置を示す平面図である。
【図６】本発明の実施の形態に係る道路用支柱の清掃装置を示す底面図である。
【図７】本発明の実施の形態に係る接続部材を示す平面図である。
【図８】本発明の実施の形態に係る道路用支柱の清掃装置を自動車に接続した状態を示す図である。
【図９】本発明の実施の形態に係る移動機構を示す斜視図である。
【図１０】本発明の実施の形態に係る上下動駆動部を示す斜視図である。
【図１１】本発明の実施の形態に係る進退動駆動部を示す側面断面図である。
【図１２】本発明の実施の形態に係る旋回駆動部を示す斜視図である。
【図１３】従来の道路用支柱の清掃装置の一例を示す図である。
【発明を実施するための形態】
【００１８】
以下、添付図面に基づいて本発明の実施の形態に係る道路用支柱の清掃装置を説明する。
図１乃至図１２には、本発明の実施の形態に係る道路用支柱の清掃装置Ｓを示している。本装置Ｓは、道路用支柱Ｐの外周面を清掃するものであり、道路用支柱Ｐに挿通され軸線２を中心に回転させられる内筒１と、内筒１の内壁面１ａに取り付けられ内筒１の回転により道路用支柱Ｐの外周面を擦るブラシ部材１０と、内筒１を囲繞するとともに内筒１を回転可能に支持する外筒２０と、外筒２０に設けられ内筒１を回転させる駆動部３０と、外筒２０を移動させる移動機構８０とを備えて構成されている。
【００１９】
内筒１は、図１乃至図５に示すように、下端３側及び上端５側が開放された円筒状に形成され、その側壁には、内壁面１ａから外壁面１ｂに貫通する貫通孔４が複数形成されている。この貫通孔４は、内筒１の回転方向に沿う所定幅であって内筒１の回転軸線２方向に沿う所定長さに、矩形状に形成されている。この貫通孔４は、内筒１の回転軸線２を中心とする螺旋に沿って間隔を隔てて複数形成されている。実施の形態では、貫通孔４は１６個設けられており、４つの貫通孔で１つの螺旋が形成され、この螺旋が４つ設けられている。また、この内筒１の上端５には、内筒１に取付固定されて内筒１とともに回転する羽４１を有した取付部材４０が設けられている。この取付部材４０は、内筒１の内壁１ａに雄ネジ４２ａを有したボルト４２と、このボルト４２に螺合されるナット４４とで取り付けられており、中央部には、雌ネジを有した孔４３が設けられている。
【００２０】
ブラシ部材１０は、図１乃至図６に示すように、貫通孔４に対応するように、内筒１の回転方向に沿う所定幅であって内筒１の回転軸線２方向に沿う所定長さに多数の毛１１を集合させ、この毛１１の集合がホルダ１４で保持されて形成されている。このブラシ部材１０は複数設けられており、複数の貫通孔４夫々に対応するように、内筒１の回転軸線２を中心とする螺旋に沿って間隔を隔てて配置されており、複数の貫通孔４に夫々嵌合されて設けられている。
毛１１は、比較的剛性の毛を用いて、先端１１ａ及び基端１１ｂが揃うように直方体状に形成され、先端１１ａが道路用支柱Ｐに接触し、基端１１ｂがホルダ１４に植設されている。
ホルダ１４は、多数の毛１１が植設される保持部１２と、保持部１２に連設され貫通孔４に嵌合されて固定される固定部１３とを備えて構成されている。保持部１２よりも固定部１３が小さく形成されている。固定部１３は、内筒１の貫通孔４に嵌合したとき、内筒１の外壁面１ｂから突出するように形成されている。また、保持部１２及び固定部１３は、ともに直方体状に形成されている。
【００２１】
外筒２０は、図１，図２，図５及び図８に示すように、下端２１側及び上端２２側が開放された円筒状に形成され、内筒１を囲繞するように内筒１と同軸に設けられている。この外筒２０の上端２２側には、駆動部３０が取り付けられる取付口部２３が形成されている。また、この外筒２０の下端２１側には、後述する接続部材６０のボルト６４が挿通される下端側ボルト挿通孔２４が形成されている。
【００２２】
駆動部３０は、図１，図２，図８及び図９に示すように、モータ３０ａを備えて構成されている。このモータ３０ａは、鋼鉄製の収容体３１に収容され、外筒２０の上端２２及び内筒１の上端５上方に設けられている。詳しくは、収容体３１の下側に設けられた固定部材３１ａが外筒２０の取付口部２３に、例えば、ボルトナット等で取付固定されている。また、この収容体３１の上面３２には、内部空間に通気可能な通風孔３３が形成されている。更に、この収容体３１の上面３２には、移動機構８０が取り付けられる取付部３８が形成されている。更にまた、この収容体３１の下面３４には、モータ３０ａの駆動により回転させられ、内筒１の軸線２と同軸の回転軸３５が設けられている。この回転軸３５は、先端に取付部材４０の孔４３の雌ネジに螺合される雄ネジを有しており、この回転軸３５の先端に取付部材４０を介して内筒１が吊下されている。
【００２３】
また、内筒１の下端３側若しくは外筒２０の下端２１側には、下側５１に向かって漸次拡径し道路用支柱Ｐを内筒１内に導くラッパ状のガイド部材５０が設けられている。このガイド部材５０は、図１，図２及び図５乃至図８に示すように、上側５２が内筒１の内周よりも小径な円形状に形成され、下側５１が外方に向かって屈曲形成されている。また、下側５１には、雄ネジ５３を有したボルト５４が挿通されるボルト挿通孔５５が形成されている。このガイド部材５０は、実施の形態では、外筒２０に接続部材６０を介して取り付けられている。
【００２４】
接続部材６０は、図１，図２，図５，図７及び図８に示すように、外筒２０の下縁に沿って設けられるリング状部６１と、このリング状部６１の内周に一端６３ａが取付固定され他端６３ｂ側に雌ネジを有したナット６２が設けられる内周側板材６３と、ナット６２に螺合される雄ネジ６４ａを有したボルト６４と、リング状部６１の外周に中間部６７ｃが取付固定され他端６７ｂ側にボルト６４が挿通される他端側ボルト挿通孔６５を有し一端６７ａ側がＬ字状に屈曲形成されるとともに雄ネジ５３を有したボルト５４が挿通される一端側ボルト挿通孔６６が形成された外周側板材６７と、外周側板材６７の一端側ボルト挿通孔６６とガイド部材５０のボルト挿通孔５５とに挿通されるボルト５４と、ボルト５４に螺合されるナット５６とを備えて構成されている。内周側板材６３と外周側板材６７との組みは、実施の形態では、等間隔で４組設けられている。
【００２５】
更に、リング状部６１には、その下縁に沿って設けられる円板体７１と、この円板体７１に内筒１の外壁面１ｂを転動する複数のベアリング７０が設けられている。このベアリング７０は、雄ネジ７２ａを有したボルト７２と、ボルト７２に螺合されるナット７３と、中心部にボルト７２が挿通される挿通孔７４を有しボルト７２を中心に回転するローラ体７５とを備えて構成されている。また、円板体７１は、リング状部６１の下縁に、例えば、溶接等で一体形成されており、この円板体７１に、ボルト７２が挿通される孔７６が形成されている。
【００２６】
移動機構８０は、図８乃至図１２に示すように、モータ３０ａを吊下支持する棒状の第一支持部材８１と、一端８２ａに第一支持部材８１を上下動可能に支持し第一支持部材８１の長手方向に直交する方向に長手方向を有する棒状の第二支持部材８２と、第二支持部材８２の他端８２ｂ側を第二支持部材８２の長手方向に沿って進退動可能に支持する第三支持部材８３と、第三支持部材８３を第一支持部材８１の長手方向と平行な軸線を中心に旋回可能に支持する基台８４と、第一支持部材８１を上下動させる上下動駆動部８５と、第二支持部材８２を進退動させる進退動駆動部８６と、第三支持部材８３を旋回させる旋回駆動部８７とを備えて構成されている。
【００２７】
第一支持部材８１は、図８乃至図１０に示すように、その長手方向が地面に対して垂直に設けられており、一端８１ａが駆動部３０の収容体３１に取付固定されている。また、第二支持部材８２は、図８，図９及び図１１に示すように、横断面矩形状の筒状に形成され、横断面矩形状の筒状に形成された第三支持部材８３（図８，図９及び図１１参照）に進退動可能に挿通されている。この第二支持部材８２の一端８２ａには、第一支持部材８１が挿通され第一支持部材８１を上下動可能に支持する筒状の支持体８８が設けられている。更に、基台８４は、図８及び図９に示すように、横断面矩形状の筒状に形成され、一端８４ａに第三支持部材８３が旋回可能に支持されている。
【００２８】
上下動駆動部８５は、図８乃至図１０に示すように、ウインチで構成され、第一支持部材８１の一端８１ａに接続されたワイヤ８５ａと、支持体８８に設けられワイヤ８５ａを巻き取り，巻き外しするドラム８５ｂと、ドラム８５ｂを駆動させるモータ８５ｃとを備えて構成されている。モータ８５ｃを駆動させることにより、ドラム８５ｂがワイヤ８５ａを巻き取り、これによって第一支持部材８１が支持体８８を摺動しながら図８及び図９中Ｙ軸方向上方に移動する。また、モータ８５ｃでドラム８５ｂを駆動させ、ドラム８５ｂがワイヤ８５ａを巻き外すことにより、第一支持部材８１が支持体８８を摺動しながら図８及び図９中Ｙ軸方向下方に移動する。
【００２９】
進退動駆動部８６は、図８，図９及び図１１に示すように、一端がモータ８６ｃに接続され第三支持部材８３内に第三支持部材８３の長手方向に沿って設けられる雄ネジを有したボルト８６ａと、第二支持部材８２の内壁面に取付固定されるとともにボルト８６ａが挿通されて螺合されボルト８６ａの回転によって移動させられる雌ネジを有した筒状体８６ｂとを備えて構成されている。モータ８６ｃを駆動させることにより、ボルト８６ａが軸線を中心に回転し、このボルト８６ａの回転によって、ボルト８６ａに螺合されている筒状体８６ｂが進出，後退し、この筒状体８６ｂの進退動によって、第二支持部材８２が第三支持部材８３内を摺動しながら図８及び図９中Ｘ軸方向に進退動するようになる。例えば、ボルト８６ａを一方向周りに回転させると、ボルト８６ａに螺合する筒状体８６ｂはボルト８６ａの回転によってピッチ分だけモータ８６ｃ側に移動させられる。反対に、他方向回りに回転させると筒状体８６ｂはピッチ分だけモータ８６ｃから離れていく。
【００３０】
旋回駆動部８７は、図８，図９及び図１２に示すように、ハンドル８７ｃに連設されハンドル８７ｃを回すことにより回転するウォーム８７ａと、リング状に形成され側面の一部にウォーム８７ａに噛合する歯を有したウォームホイール８７ｂとで構成されている。このウォームホイール８７ｂは、基台８４内に基台８４の長手方向に沿って設けられ一端が第三支持部材８３に接続される棒状体８７ｄに挿通されて取付固定されている。ハンドル８７ｃを回すとウォーム８７ａが軸線を中心に回転し、このウォーム８７ａの回転によって、ウォームホイール８７ｂがピッチ分だけ回転し、このウォームホイール８７ｂの回転に伴って棒状体８７ｄが軸線を中心に回転し、この棒状体８７ｄの回転によって、第三支持部材８３が図９中Ｚ軸方向に旋回する。実施の形態では、ウォームホイール８７ｂの側面の１／１２（３０°）に歯が形成されており、この範囲（３０°）内で旋回が可能になっている。また、ウォームホイール８７ｂが、この範囲（３０°）を超えて回転すると、ウォーム８７ａとウォームホイール８７ｂとが噛合しなくなるので、ウォームホイール８７ｂを自由に旋回させることができるようになる。
【００３１】
次に、この実施の形態に係る道路用支柱の清掃装置Ｓの製造について説明する。尚、以下の手順は順不同である。
内筒１に、ブラシ部材１０を取り付ける。詳しくは、内筒１の内部にブラシ部材１０を挿入し、貫通孔４にホルダ１４の固定部１３を嵌合させるとともに、固定部１３を内筒１の外壁面１ｂから突出させる。固定部１３を貫通孔４に嵌合させるだけでホルダ１４を内筒１に取り付けることができるので、多数の毛１１を内筒１に直接植設した場合に比較して、比較的容易にブラシ部材１０を内筒１に取り付けることができる。実施の形態では、固定部１３に、接着剤が塗布されており、これによって、固定部１３を貫通孔４により一層強固に嵌合させ、ホルダ１４が内筒１の貫通孔４から抜け出ることを防止している。
【００３２】
接続部材６０にベアリング７０を取り付ける。詳しくは、円板体７１の上面にローラ体７５を接触させ、円板体７１の孔７６とローラ体７５の挿通孔７４とにボルト７２を挿通し、ボルト７２を挿通した反対側からナット７３をボルト７２に螺合させて固定する。
【００３３】
接続部材６０にガイド部材５０を取り付ける。詳しくは、外周側板材６７の一端６７ａ側とガイド部材５０の下側５１とを接触させ、一端側ボルト挿通孔６６とボルト挿通孔５５とにボルト５４を挿通し、ボルト５４を挿通した反対側からナット５６をボルト５４に螺合させて固定する。
【００３４】
外筒２０に接続部材６０を取り付ける。詳しくは、外筒２０を、その下端２１側が接続部材６０の外周側板材６７と内周側板材６３との間に位置するように、リング状部６１に接触させ、外側から外周側板材６７の他端側ボルト挿通孔６５と外筒２０の下端側ボルト挿通孔２４とにボルト６４を挿通し、内周側板材６３のナット６２に、このボルト６４を螺合させて取り付ける。
【００３５】
外筒２０に駆動部３０を取り付ける。詳しくは、外筒２０の取付口部２３に固定部材３１ａをボルト３６とナット３７とを螺合させることにより取り付けて接続する。このとき、収容体３１の下面３４に設けられた回転軸３５の雄ネジを、内筒１に設けられた取付部材４０の孔４３の雌ネジに螺合させて内筒１と駆動部３０とを取り付け、内筒１を回転軸３５で吊下する。また、吊下された内筒１の下端３を、その外壁面１ｂがベアリング７０に接触するように位置させる。
【００３６】
駆動部３０に移動機構８０を取り付ける。詳しくは、第一支持部材８１の一端８１ａを、取付部３８にボルトナットで取り付けて固定し、この第一支持部材８１でモータ３０ａを吊下支持する。
【００３７】
従って、この実施の形態に係る道路用支柱Ｐの清掃装置を用いて道路用支柱Ｐを清掃するときは、以下のようにして行なう。
道路用支柱Ｐに内筒１を挿通させ、ブラシ部材１０を道路用支柱Ｐに被着させる。詳しくは、図８に示すように、先ず、例えば、トラック等の自動車Ｃに本装置Ｓを載置させ、自動車Ｃで本装置Ｓを道路用支柱Ｐ近傍に移動させる。次に、進退動駆動部８６を駆動させ、第二支持部材を図８及び図９中Ｘ軸方向に進出させる。第二支持部材８２を進出させると、第一支持部材８１が進出させられ、モータ３０ａ及び外筒２０が進出させられる。それから、旋回駆動部８７により第三支持部材８３を図９中Ｚ軸方向に旋回させる。第三支持部材８３を旋回させると、第二支持部材８２も第三支持部材８３と同方向に旋回させられ、第一支持部材８１が基台８４を中心に回転するようになる。この進退動駆動部８６及び旋回駆動部８７により、外筒２０の下端２１を道路用支柱Ｐの上方に位置させる。このとき、内筒１の軸線２と道路用支柱Ｐの軸線とが同軸になるように外筒２０を位置させる。尚、旋回駆動部８７を駆動させてから進退動駆動部８６を駆動させるようにしても良く、また、進退動駆動部８６と旋回駆動部８７とを同時に駆動させるようにしても良い。
【００３８】
その後、上下動駆動部８５により第一支持部材８１を図８及び図９中Ｙ軸方向下方に移動させる。第一支持部材８１を下方に移動させると、モータ３０ａ及び外筒２０が下方に移動させられる。この外筒２０の移動によって内筒１も移動させられ、内筒１を道路用支柱Ｐに挿通させることができるので、ブラシ部材１０を道路用支柱Ｐに被着させることができる。このとき、ブラシ部材１０が道路用支柱Ｐの外周面に接触するように被着させる。即ち、移動機構８０によって、ブラシ部材１０を容易に搬送して道路用支柱Ｐに被着させることができるので、従来と比較して道路用支柱Ｐの清掃作業の作業性を向上させることができる。
【００３９】
本装置Ｓは、内筒１の下端３側にガイド部材５０が設けられており、このガイド部材５０によって内筒１の下端３側が拡径されているので、ブラシ部材１０を道路用支柱Ｐに被着させる際、内筒１が道路用支柱Ｐに対して多少ずれた位置に位置しても、道路用支柱Ｐの上部がガイド部材５０に当たって内筒１内に導かれるようになり、そのため、確実に道路用支柱Ｐに内筒１を挿通させることができる。即ち、道路用支柱Ｐに内筒１を容易に挿通させることができるので、それだけ、ブラシ部材１０を道路用支柱Ｐに容易に被着させることができる。
【００４０】
ブラシ部材１０を道路用支柱Ｐに被着させたならば、駆動部３０を駆動させる。このとき、必要に応じて、図示しない水噴射管から道路用支柱Ｐに向けて洗浄水を噴射する。駆動部３０のモータ３０ａを駆動させると、モータ３０ａの回転軸３５が回転し、この回転軸３５に接続されている取付部材４０が回転するようになり、この取付部材４０の回転によって、内筒１が、その軸線２を中心に回転するようになる。内筒１の下端３側の外壁面１ｂはベアリング７０で支持されているので、内筒１の回転軸線２がブレることを防止することができる。また、内筒１が回転するとベアリング７０が内筒１の外壁面１ｂを転動するようになるので、内筒１とベアリング７０との摩擦力が軽減され、そのため、内筒１の回転を円滑に行なうことができる。
【００４１】
内筒１を回転させると、内筒１の内壁面１ａに取り付けられているブラシ部材１０も内筒１と同方向に回転するようになる。ブラシ部材１０は道路用支柱Ｐの外周面に接触しているので、ブラシ部材１０が回転すると、ブラシ部材１０によって道路用支柱Ｐの外周面が擦られるようになり、これによって、道路用支柱Ｐの外周面に付着しているゴミ等の汚れを掻き落として除去することができ、道路用支柱Ｐを清掃することができる。このとき、複数のブラシ部材間には間隔が生じているので、多数の毛を密に内筒に植設したものに比較して、ブラシ部材間にゴミ等が詰まりにくくなり、そのため、ゴミ等の汚れの掻き落とし機能が向上させられ、清掃効率の向上が図られる。また、洗浄水を噴射した場合には、道路用支柱Ｐの外周面に付着している汚れを、より一層容易且つ確実に除去することができる。
【００４２】
また、収容体３１の上面３２には通風孔３３が設けられているので、駆動部３０の駆動中には、この通風孔３３から内部空間に空気が入り込むようになり、そのため、モータ３０ａで構成された駆動部３０が熱を持ってオーバーヒートする事態を防止することができる。
【００４３】
即ち、駆動部３０を駆動するだけでブラシ部材１０が自動的に回転し、この回転によってブラシ部材１０が道路用支柱Ｐの外周面を擦ってゴミ等の汚れを掻き落として除去するので、従来と比較して道路用支柱Ｐの清掃作業の作業性を向上させることができる。また、内筒１を囲繞して外筒２０が設けられているので、この外筒２０によって回転している内筒１には触れることができなくなり、そのため、内筒１の回転によって作業者が怪我をする等という事故を防止することができる。
【００４４】
そして、１つの道路用支柱Ｐの清掃が終わったならば、上下動駆動部８５を駆動させ、外筒２０を図８及び図９中Ｙ軸方向上方に移動させて、道路用支柱Ｐからブラシ部材１０を脱着させ、自動車Ｃで本装置Ｓを次の清掃に係る道路用支柱Ｐ近傍に移動させ、上記と同様にブラシ部材１０を道路用支柱Ｐに被着させて道路用支柱Ｐを清掃する。
【００４５】
尚、上記実施の形態において、駆動部３０をモータ３０ａで構成したが、必ずしもこれに限定されるものではない。
また、上記実施の形態において、ブラシ部材１０を、多数の毛１１を備えて構成したが、必ずしもこれに限定されるものではない。
更に、上記実施の形態において、ブラシ部材１０を、内筒１の回転軸線２を中心とする螺旋に沿って間隔を隔てて複数配置したが、必ずしもこれに限定されるものではなく、例えば、ブラシ部材１０を内筒１の軸方向長さと略同じ長さに形成し、このブラシ部材１０を１つだけ設けても良く、適宜変更して差支えない。
更にまた、上記実施の形態において、ブラシ部材１０を１６個用いたが、必ずしもこれに限定されるものではなく、何個用いても良く、適宜変更して差支えない。
【００４６】
尚また、上記実施の形態において、上下動駆動部８５，進退動駆動部８６及び旋回駆動部８７を上記のように構成したが、必ずしもこれに限定されるものではなく、適宜変更して差支えない。
【符号の説明】
【００４７】
Ｓ  道路用支柱の清掃装置
Ｐ  道路用支柱
Ｃ  自動車
１  内筒
２  軸線
３  下端
４  貫通孔
５  上端
１０  ブラシ部材
１１  毛
１２  保持部
１３  固定部
１４  ホルダ
２０  外筒
２１  下端
２２  上端
２３  取付口部
２４  下端側ボルト挿通孔
３０  駆動部
３０ａ  モータ
３１  収容体
３１ａ  固定部材
３３  通風孔
３５  回転軸
４０  取付部材
４１  羽
４３  孔
５０  ガイド部材
５１  下側
５２  上側
５５  ボルト挿通孔
６０  接続部材
６１  リング状部
６３  内周側板材
６５  他端側ボルト挿通孔
６６  一端側ボルト挿通孔
６７  外周側板材
７０  ベアリング
７１  円板体
７４  挿通孔
７５  ローラ体
７６  孔
８０  移動機構
８１  第一支持部材
８２  第二支持部材
８３  第三支持部材
８４  基台
８５  上下動駆動部
８６  進退動駆動部
８７  旋回駆動部
８８  支持体
【図１】
2010255184.tif 000003
【図２】
2010255184.tif 000004
【図３】
2010255184.tif 000005
【図４】
2010255184.tif 000006
【図５】
2010255184.tif 000007
【図６】
2010255184.tif 000008
【図７】
2010255184.tif 000009
【図８】
2010255184.tif 000010
【図９】
2010255184.tif 000011
【図１０】
2010255184.tif 000012
【図１１】
2010255184.tif 000013
【図１２】
2010255184.tif 000014
【図１３】
2010255184.tif 000015